【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
プロセスを制御する方法であって、
入力／出力装置を介して、プロセス制御フィールド装置をプロセス制御器に通信可能に連結することと、
前記プロセス制御フィールド装置に関する装置タグを取得することと、
前記装置タグ内のデータに従い、
前記プロセス制御フィールド装置から装置診断データを取り出し、
前記装置診断データをキャッシュし、かつ
１つ以上のアプリケーションに前記キャッシュされた装置診断データへのアクセスを提供するように、前記入力／出力装置を構成することと、
前記プロセス制御フィールド装置から前記装置診断データを取り出すことと、
前記装置診断データをキャッシュすることと、
前記キャッシュされた装置診断データを前記１つ以上のアプリケーションに提供することと、を含む、方法。
【請求項２】
前記プロセス制御フィールド装置に関する前記装置タグを取得することは、
前記プロセス制御フィールド装置から装置タグデータを取り出すことと、
構成アプリケーションにおいて、前記プロセス制御フィールド装置に関連する装置タグの選択を受信すること、
を含む、請求項１に記載の方法。
【請求項３】
前記プロセス制御フィールド装置から前記装置診断データを取り出すことは、前記プロセス制御フィールド装置から少なくとも１つの非静的パラメータに関する値を取り出すことを含む、請求項１または２に記載の方法。
【請求項４】
前記プロセス制御フィールド装置から前記少なくとも１つの非静的パラメータに関する値を取り出すことは、校正状態、校正期日、装置状態、警告ステータス、警報ステータス、装置調子ステータス、測定されたプロセスパラメータ、機能ブロックの入力、および機能ブロックの出力からなる群のうちの少なくとも１つの値を取り出すことを含む、請求項３に記載の方法。
【請求項５】
前記機能ブロックの出力の値を取り出すことは、統計処理モジュール（ＳＰＭ）ブロックの出力の値を取り出すことを含む、請求項４に記載の方法。
【請求項６】
前記プロセス制御フィールド装置から前記装置診断データを取り出すことは、
リアルタイムのプロセス制御通信にさもなければ必要とされない帯域幅を利用して前記装置診断データをポーリングすることと、
非同期呼び出しに従い、前記装置診断データをポーリングすることと、
低い優先度のバックグラウンドタスクに従い、前記装置診断データをポーリングすること、
を含む、請求項１〜５のいずれか一項に記載の方法。
【請求項７】
前記装置診断データをキャッシングすることは、
１つ以上のキャッシュされた前記装置診断データの値の各々についてデータステータスを判定することと、
対応する前記キャッシュされた前記装置診断データの値と関連するように、判定された前記データステータスを記憶することと、をさらに含む、請求項１〜６のいずれか一項に記載の方法。
【請求項８】
前記データステータスを判定することは、
前記キャッシュされた装置診断データの値が取り出されてからの経過時間を判定することと、
前記経過時間を所定の閾値と比較することと、
前記経過時間が前記所定の閾値未満の場合、前記データステータスが良好であると判定することと、
（１）前記経過時間が前記所定の閾値より大きい場合、または
（２）能動通信警告がそれから前記装置診断データの値が取り出された前記プロセス制御フィールド装置に関して存在する場合、前記データステータスが不良であると判定することと、を含む、請求項７に記載の方法。
【請求項９】
前記装置診断データをキャッシングすることは、前記入力／出力装置のメモリ装置内に、前記装置診断データをキャッシングすることを含む、請求項１〜８のいずれか一項に記載の方法。
【請求項１０】
前記１つ以上のアプリケーションに対して前記キャッシュされた装置診断データを提供することは、
装置詳細表示、警報表示、および装置の面板からなる群のうちの少なくとも１つに対し、前記キャッシュされた装置診断データを提供することと、
前記装置診断データを制御ルーチンに対して提供すること、
を含む、請求項１〜９のいずれか一項に記載の方法。
【請求項１１】
１つ以上のプロセス制御ルーチンを実行してプロセスを制御するプロセス制御器と、
前記プロセス制御器に通信可能に連結した入力／出力装置と、
バスを介して前記入力／出力装置に通信可能に接続し、前記入力／出力装置を介して前記プロセス制御器に通信可能に連結した複数のフィールド装置であって、前記複数のフィールド装置のうちの少なくとも１つのフィールド装置は装置診断データを生成する、複数のフィールド装置と、
前記少なくとも１つのフィールド装置に関連して、前記入力／出力装置を構成するためのデータを記憶して、前記装置診断データを前記少なくとも１つのフィールド装置から取り出す装置タグと、
第１のメモリ装置についての命令として記憶され、前記少なくとも１つのフィールド装置によって生成された前記装置診断データを取り出すように動作可能な、第１のルーチンと、
前記少なくとも１つのフィールド装置から取り出された前記装置診断データを記憶するキャッシュと、
前記キャッシュから記憶された前記装置診断データを読み取り、前記装置診断データを使用してプロセス制御機能を行うように動作可能な第２のルーチンと、を備える、プロセス制御システム。
【請求項１２】
前記少なくとも１つのフィールド装置に関する前記装置タグは、
前記少なくとも１つのフィールド装置内に設けられたメモリ装置内に記憶され、
構成データベースに記憶され、構成アプリケーションを介して受信された入力に従い、少なくとも１つのフィールド装置に関連する、
請求項１１に記載のプロセス制御システム。
【請求項１３】
前記少なくとも１つのフィールド装置により生成された前記装置診断データは、少なくとも１つの非静的パラメータに関する値を含み、
前記少なくとも１つの非静的パラメータは、校正状態、校正期日、装置状態、警告ステータス、警報ステータス、装置調子ステータス、測定されたプロセスパラメータ、機能ブロックの入力、および機能ブロックの出力からなるグループのうちの１つである、
請求項１１または１２に記載のプロセス制御システム。
【請求項１４】
前記第１のルーチンは、リアルタイムのプロセス制御通信にさもなければ必要とされない帯域幅を使用して前記少なくとも１つのフィールド装置をポーリングするように動作可能である、請求項１１〜１３のいずれか一項に記載のプロセス制御システム。
【請求項１５】
前記キャッシュに記憶された前記装置診断データは、
１つ以上の装置診断データの値であって、各々が対応する装置診断データパラメータに関連する、１つ以上の装置診断データの値と、
前記１つ以上の装置診断データの値の各々と対応するデータステータスと、を含む、請求項１１〜１４のいずれか一項に記載のプロセス制御システム。
【請求項１６】
前記データステータスは、前記対応する装置診断データの値が所定の閾値に対して取り出されてからの経過時間の比較に従い判定される、請求項１５に記載のプロセス制御システム。
【請求項１７】
前記１つ以上のキャッシュされた装置診断データの値のうちの第１の値に関する前記経過時間が比較される前記所定の閾値は、前記１つ以上のキャッシュされた装置診断データの値のうちの第２の値に関する前記経過時間が比較される前記所定の閾値とは異なる、請求項１６に記載のプロセス制御システム。
【請求項１８】
前記キャッシュは、前記入力／出力装置のメモリ装置上に記憶される、請求項１１〜１７のいずれか一項に記載のプロセス制御システム。
【請求項１９】
前記第２のルーチンは、
装置詳細表示ルーチン、警報表示ルーチン、または装置の面板表示ルーチンであり、
制御ルーチンである、
請求項１１〜１８のいずれか一項に記載のプロセス制御システム。
【請求項２０】
前記第２のルーチンは前記キャッシュに記憶された装置診断データを含む保守表示ルーチンであり、
前記１つ以上のプロセス制御ルーチンに動的にリンクするユーザインターフェース構成要素を含み、前記保守表示ルーチンにおいて識別されたプロセスに関連する問題が、アクセス可能なオペレータ制御表示ルーチンを使用して解決されるように、ユーザインターフェース構成要素とのユーザ相互作用を介して前記プロセスの動作を制御するオペレータ制御表示ルーチンをさらに含む、請求項１１〜１９のいずれか一項に記載のプロセス制御システム。
【請求項２１】
前記第１のルーチンは、
非同期ポーリングルーチンであり、
低い優先度のバックグラウンドタスクである、
請求項１１〜２０のいずれか一項に記載のプロセス制御システム。